(57)【要約】【課題】内容物を極少量ずつ吐出させたり、内容物を前記極少量よりも若干多めに小分けにして吐出させたりすることが容易なスポイト容器を提供する。【解決手段】スポイト容器１０は、容器本体１と、ノズル部材２と、キャップ体３と、を備える。スポイト管２０の下端部には、出没可能な塗布体Ｐが配設されている。キャップ体３とノズル部材２との間には、キャップ体のノズル部材に対する上昇を規制する第１規制手段Ｒ１が設けられ、内キャップと、作動筒、外キャップ、若しくはノズル部材のいずれか少なくとも一つと、の間には、内キャップのノズル部材に対する下降を規制する第２規制手段Ｒ２が設けられている。第２規制手段が内キャップのノズル部材に対する下降を規制する際の、作動筒と内キャップとの間に形成された作動空間Ｓの体積の減少量は、第１規制手段がキャップ体のノズル部材に対する上昇を規制する際の、作動空間の体積の増大量より小さい。【選択図】図１
2018122869.tif 000002
【特許請求の範囲】
【請求項１】
内容物が収容される容器本体と、
上下方向に延びるとともに、下端開口部が前記容器本体内に開口するスポイト管を有するノズル部材と、
前記容器本体の口部に着脱可能に装着されたキャップ体と、を備えるスポイト容器であって、
前記キャップ体は、前記ノズル部材の上端開口部を覆う内キャップと、前記内キャップを径方向外側から囲繞する作動筒と、前記作動筒を径方向外側から囲繞する外キャップと、を備え、
前記内キャップは、前記ノズル部材に対して上方付勢状態で上下動可能に支持され、
前記ノズル部材は、前記スポイト管の上端部に配設されるとともに、前記作動筒内に上下摺動可能に嵌合された第１シール部を備え、
前記作動筒は、径方向内側に向けて突出し、かつ前記内キャップに上下摺動可能に外嵌された第２シール部を備え、
前記作動筒と前記内キャップとの間には、前記第１シール部および前記第２シール部によって前記作動筒の外側との連通が遮断され、かつ前記スポイト管内に連通する作動空間が形成され、
前記スポイト管の下端部には、下方付勢状態で前記スポイト管の下端開口部に出没可能に挿通された塗布体が配設され、
前記キャップ体と前記ノズル部材との間には、前記キャップ体が前記容器本体の口部から離脱したときに、前記キャップ体の前記ノズル部材に対する上昇を規制する第１規制手段が設けられ、
前記内キャップと、前記作動筒、前記外キャップ、若しくは前記ノズル部材のいずれか少なくとも一つと、の間には、前記キャップ体が前記容器本体の口部から離脱した状態で前記内キャップを前記ノズル部材に対して押下したときに、前記内キャップの前記ノズル部材に対する下降を規制する第２規制手段が設けられ、
前記第２規制手段が前記内キャップの前記ノズル部材に対する下降を規制する際の、前記作動空間の体積の減少量は、
前記第１規制手段が前記キャップ体の前記ノズル部材に対する上昇を規制する際の、前記作動空間の体積の増大量より小さいことを特徴とする、スポイト容器。
【請求項２】
前記ノズル部材は、前記スポイト管の上端部に配設されたガイド筒部を備え、
前記ガイド筒部は、前記キャップ体が前記容器本体の口部から離脱した状態で、前記作動筒内に挿入されて、前記作動筒の内周面に当接若しくは近接することを特徴とする、請求項１に記載のスポイト容器。
【請求項３】
前記第１規制手段は、
前記ノズル部材に形成された第１係合部と、
前記キャップ体に形成された第２係合部と、からなり、
前記第２規制手段は、
前記作動筒、前記外キャップ、若しくは前記ノズル部材のいずれかに形成された第３係合部と、
前記内キャップに形成された第４係合部と、からなることを特徴とする、請求項１または２に記載のスポイト容器。
【請求項４】
前記内キャップを前記ノズル部材に対して上方付勢する金属製のコイルバネを備え、
前記作動筒は、前記コイルバネの内側に挿入されていることを特徴とする、請求項１から３のいずれか１項に記載のスポイト容器。
【発明の詳細な説明】
【技術分野】
【０００１】
本発明は、スポイト容器に関する。
【背景技術】
【０００２】
従来から、下記特許文献１に示されるようなスポイト容器が知られている。このスポイト容器は、内容物が収容される容器本体と、下端開口部が容器本体内に開口するスポイト管を有するノズル部材と、を備えている。このスポイト容器によれば、ノズル部材の上端部に設けられたボタンを押下することで、スポイト管内の内容物を吐出させ、被塗布部に塗布することができる。
【先行技術文献】
【特許文献】
【０００３】
【特許文献１】特開２０１５−１２７２２５号公報
【発明の概要】
【発明が解決しようとする課題】
【０００４】
上記特許文献１の構成では、ボタンの押込み量に応じてスポイト管から内容物が吐出される。このため、例えばスポイト管内の内容物を極少量ずつ吐出させたり、この内容物を前記極少量よりも若干多めに小分けにして吐出させたりする際には、ボタンを押し込む力加減や押込み量の調整が必要であり、このような用途に用いられる場合の操作性を向上することについて、改善の余地があった。
【０００５】
本発明はこのような事情を考慮してなされたもので、内容物を極少量ずつ吐出させたり、内容物を前記極少量よりも若干多めに小分けにして吐出させたりすることが容易なスポイト容器を提供することを目的とする。
【課題を解決するための手段】
【０００６】
上記課題を解決するために、本発明のスポイト容器は、内容物が収容される容器本体と、上下方向に延びるとともに、下端開口部が前記容器本体内に開口するスポイト管を有するノズル部材と、前記容器本体の口部に着脱可能に装着されたキャップ体と、を備えるスポイト容器であって、前記キャップ体は、前記ノズル部材の上端開口部を覆う内キャップと、前記内キャップを径方向外側から囲繞する作動筒と、前記作動筒を径方向外側から囲繞する外キャップと、を備え、前記内キャップは、前記ノズル部材に対して上方付勢状態で上下動可能に支持され、前記ノズル部材は、前記スポイト管の上端部に配設されるとともに、前記作動筒内に上下摺動可能に嵌合された第１シール部を備え、前記作動筒は、径方向内側に向けて突出し、かつ前記内キャップに上下摺動可能に外嵌された第２シール部を備え、前記作動筒と前記内キャップとの間には、前記第１シール部および前記第２シール部によって前記作動筒の外側との連通が遮断され、かつ前記スポイト管内に連通する作動空間が形成され、前記スポイト管の下端部には、下方付勢状態で前記スポイト管の下端開口部に出没可能に挿通された塗布体が配設され、前記キャップ体と前記ノズル部材との間には、前記キャップ体が前記容器本体の口部から離脱したときに、前記キャップ体の前記ノズル部材に対する上昇を規制する第１規制手段が設けられ、前記内キャップと、前記作動筒、前記外キャップ、若しくは前記ノズル部材のいずれか少なくとも一つと、の間には、前記キャップ体が前記容器本体の口部から離脱した状態で前記内キャップを前記ノズル部材に対して押下したときに、前記内キャップの前記ノズル部材に対する下降を規制する第２規制手段が設けられ、前記第２規制手段が前記内キャップの前記ノズル部材に対する下降を規制する際の、前記作動空間の体積の減少量は、前記第１規制手段が前記キャップ体の前記ノズル部材に対する上昇を規制する際の、前記作動空間の体積の増大量より小さいことを特徴とする。
【０００７】
本発明のスポイト容器によれば、キャップ体を、容器本体に対して上昇させて取り外す際に、第１規制手段がキャップ体のノズル部材に対する上昇を規制するまで、キャップ体がノズル部材に対して上昇する。このとき、第１シール部および第２シール部によって作動筒の外側との連通が遮断され、かつスポイト管内に連通する作動空間の体積の増大に伴って、容器本体内の内容物がスポイト管内に吸引される。従って、キャップ体を容器本体から取り外す操作をすることで、容器本体内の内容物を計量してスポイト管内に定量保持することができる。
そして、このスポイト管の下端部には、下方付勢状態でスポイト管の下端開口部に出没可能に挿通された塗布体が配設されているため、キャップ体およびノズル部材が容器本体の口部から離脱した状態で、この塗布体を被塗布面に押し付けたり離間させたりすることで、スポイト管内に保持されている定量の内容物を、極少量ずつ吐出させることができる。
一方、キャップ体は、ノズル部材の上端開口部を覆い、ノズル部材に対して上方付勢状態で上下動可能に支持された内キャップを備えている。そして、キャップ体およびノズル部材が容器本体の口部から離脱した状態で、内キャップをノズル部材に対して押下すると、第２規制手段が内キャップのノズル部材に対する下降を規制するまで、前記作動空間の体積の減少に伴って、スポイト管内に保持された内容物が吐出される。ここで、第２規制手段が内キャップのノズル部材に対する下降を規制する際の、前記作動空間の体積の減少量は、第１規制手段がキャップ体のノズル部材に対する上昇を規制する際の、前記作動空間の体積の増大量より小さい。このため、内キャップをノズル部材に対して押下した際に吐出される内容物の量は、キャップ体を容器本体の口部から取り外す際にスポイト管内に吸引される内容物の量より少ない。
以上より、本発明のスポイト容器によれば、塗布体を被塗布面に押し付けたり離間させたりする操作によって内容物を極少量ずつ吐出させたり、内キャップをノズル部材に対して押し込む操作によって、内容物を前記極少量よりも若干多めに小分けにして吐出させたりすることが容易となる。
【０００８】
ここで、前記ノズル部材は、前記スポイト管の上端部に配設されたガイド筒部を備え、前記ガイド筒部は、前記キャップ体が前記容器本体の口部から離脱した状態で、前記作動筒内に挿入されて、前記作動筒の内周面に当接若しくは近接してもよい。
【０００９】
この場合、キャップ体が容器本体の口部から離脱した状態で、例えばスポイト管に横向きの外力が加わったとしても、ノズル部材のガイド筒部がキャップ体の作動筒に当接することで、ノズル部材全体がキャップ体に対して傾くのを抑えることができる。これにより、例えばノズル部材の第１シール部と作動筒との間に隙間が生じ、前記作動空間内に外気が入り込み、スポイト管から内容物が不意に吐出されてしまうのを抑止することができる。
【００１０】
また、前記第１規制手段は、前記ノズル部材に形成された第１係合部と、前記キャップ体に形成された第２係合部と、からなり、前記第２規制手段は、前記作動筒、前記外キャップ、若しくは前記ノズル部材のいずれかに形成された第３係合部と、前記内キャップに形成された第４係合部と、からなっていてもよい。
【００１１】
この場合、第１規制手段としての第１係合部および第２係合部を互いに係合させることで、キャップ体のノズル部材に対する上昇をより確実に規制することができる。また、第２規制手段としての第３係合部および第４係合部を互いに係合させることで、内キャップのノズル部材に対する下降をより確実に規制することができる。
【００１２】
また、前記スポイト容器は、前記内キャップを前記ノズル部材に対して上方付勢する金属製のコイルバネを備え、前記作動筒は、前記コイルバネの内側に挿入されていてもよい。
【００１３】
この場合、金属製のコイルバネによって確実に内キャップを上方付勢することが可能となる。また、このコイルバネが作動筒の外側に配置されているため、例えばスポイト管内の内容物が不意に作動筒の内側に入り込んだとしても、この内容物とコイルバネとが接触するのを回避して、金属が内容物に対して影響を及ぼしてしまうのを防止することができる。
【発明の効果】
【００１４】
本発明によれば、内容物を極少量ずつ吐出させたり、内容物を前記極少量よりも若干多めに小分けにして吐出させたりすることが容易なスポイト容器を提供することができる。
【図面の簡単な説明】
【００１５】
【図１】本実施形態のスポイト容器の半縦断面図である。
【図２】キャップ体を上昇させた状態におけるスポイト容器の半縦断面図である。
【図３】容器本体から取り外された状態における、キャップ体およびノズル部材の半縦断面図である。
【図４】塗布体を被塗布面に押し付けた状態における、キャップ体およびノズル部材の半縦断面図である。
【図５】内キャップがノズル部材に対して押下された状態における、キャップ体およびノズル部材の半縦断面図である。
【発明を実施するための形態】
【００１６】
以下、本実施形態に係るスポイト容器の構成を、図１〜図５を参照しながら説明する。なお、以下の説明に用いる各図面では、各部材を認識可能な大きさとするため縮尺を適宜変更している。
図１に示すように、スポイト容器１０は、多段の有底筒状に形成され、内容物が収容される容器本体１と、容器本体１の口部１ａ内に挿入されたスポイト管２０を有するノズル部材２と、口部１ａに着脱可能に装着されたキャップ体３と、を備えている。
内容物としては、例えば粘性が低く、揮発性が高い液体が用いられる。本実施形態における内容物は、頭皮に塗布（吐出）する育毛剤である。この他、内容物は、水虫薬や液体化粧料などとすることも可能である。
【００１７】
ここで本実施形態では、容器本体１およびスポイト管２０は、それぞれの中心軸が共通軸上に位置する状態で配設されている。以下、この共通軸を容器軸Ｏといい、容器軸Ｏに沿う方向を上下方向といい、上下方向に沿った口部１ａ側を上方、その反対側を下方という。また、上下方向から見た平面視で、容器軸Ｏに直交する方向を径方向といい、容器軸Ｏ周りに周回する方向を周方向という。
【００１８】
容器本体１は、ケース体Ｃによって保持されている。容器本体１の口部１ａにおける上端部には、径方向外側に向けて突出する係止部が形成されており、この係止部にはしごき片４が係止されている。しごき片４は、口部１ａに上方から被せられ、下端部が容器本体１内でスポイト管２０の外周面に当接している。
【００１９】
（ノズル部材）
ノズル部材２は、先述のスポイト管２０と、このスポイト管２０の上端部に配設されたピストン３０と、を有している。なお、ピストン３０は、スポイト管２０と一体に形成されていてもよい。
スポイト管２０は、上下方向に延びる管部２１と、管部２１の下端部に設けられた筒状のノズルカバー８０と、を備えている。ノズルカバー８０は管部２１の下端部に外嵌されており、その下端開口部８２が容器本体１内で開口している。スポイト管２０の下端部には、下方付勢状態で、ノズルカバー８０の下端開口部８２に出没可能に挿通された塗布体Ｐが配設されている。本実施形態では、スポイト管２０の管部２１と、管部２１の下端部に形成されたばね部２０ｂと、塗布体Ｐと、が樹脂材料で一体に形成されており、このばね部２０ｂが塗布体Ｐを下方に向けて付勢している。なお、管部２１、ばね部２０ｂ、および塗布体Ｐは、少なくとも一部が別体に形成されていてもよい。
【００２０】
ノズルカバー８０の下端開口部８２には、径方向内側に向けて突出し、塗布体Ｐの下降を規制する規制部８１が形成されている。塗布体Ｐが管部２１に向けて押圧されると、塗布体Ｐがばね部２０ｂの付勢力に抗して管部２１に接近することで、下端開口部８２から極少量の内容物が吐出される。
【００２１】
スポイト管２０の管部２１における上端部には、径方向外側に向けて突出する環状のフランジ部２４と、フランジ部２４から上方に向けて延びる係止片２２と、係止片２２から上方に向けて延びる内側規制部２３と、が形成されている。フランジ部２４の下面と容器本体１の口部１ａにおける上端開口縁とは、上下方向で対向している。フランジ部２４と口部１ａとの間には、環状の第１パッキンＰ１および第２パッキンＰ２と、先述のしごき片４と、が上下方向で挟まれている。なお、スポイト管２０が容器本体１の口部１ａから離脱した際、第１パッキンＰ１および第２パッキンＰ２は、スポイト管２０の管部２１から径方向外側に向けて突出する保持突起とフランジ部２４との間で、このスポイト管２０に保持される。
【００２２】
係止片２２は、周方向に間隔を空けて複数形成されている。各係止片２２の上端部には、径方向外側に向けて突出する第１係合部２２ａが形成されている。第１係合部２２ａの上部には、下方に向かうに従って漸次径方向外側に向けて延びる傾斜面が形成され、第１係合部２２ａの下部には、容器軸Ｏに対して略直交する水平面が形成されている。係止片２２の上端面には、付勢部材Ｆが上方から当接している。付勢部材Ｆとしては、金属製のコイルスプリングなどを用いることができる。付勢部材Ｆは、内側規制部２３に外嵌されている。内側規制部２３は、付勢部材Ｆの径方向の移動を規制している。
【００２３】
ピストン３０は、スポイト管２０の管部２１における上端開口部内に嵌合された嵌合筒部３１と、嵌合筒部３１の上端部から径方向外側に向けて延びる環状のフランジ部３２と、フランジ部３２から上下方向に延びる外嵌筒部３３と、外嵌筒部３３の上端部に接続されたガイド筒部３４と、ガイド筒部３４の下端部に接続された筒状の第１シール部３５と、を備えている。嵌合筒部３１、フランジ部３２、外嵌筒部３３、ガイド筒部３４、および第１シール部３５の各中心軸は、容器軸Ｏと同軸上に位置している。
【００２４】
ガイド筒部３４は、上下方向に延び、外嵌筒部３３の径方向外側に位置している。ガイド筒部３４は、キャップ体３が容器本体１の口部１ａから離脱した状態で、後述する作動筒５０内に挿入されて、作動筒５０の内周面に当接若しくは近接する。
【００２５】
第１シール部３５は、ガイド筒部３４の径方向外側に位置している。第１シール部３５の下端部は、下方に向かうに従って漸次拡径しており、第１シール部３５の上端部は、上方に向かうに従って漸次拡径している。第１シール部３５の上下両端部は、後述する作動筒５０の第１摺動筒５３における内周面に当接することで弾性変形している。第１シール部３５は、この第１摺動筒５３に対して上下摺動可能に嵌合されている。
【００２６】
（キャップ体）
キャップ体３は、ノズル部材２の上端開口部を覆う内キャップ４０と、内キャップ４０を径方向外側から囲繞する作動筒５０と、作動筒５０を径方向外側から囲繞する外キャップ６０と、内キャップ４０にこの内キャップ４０の上方から嵌められたボタン部７０と、を備えている。キャップ体３は、作動筒５０の雌ネジ部と容器本体１の口部１ａに形成された雄ネジ部とが螺合することで、この口部１ａに装着される。作動筒５０と外キャップ６０とは、互いに固定されている。本実施形態では、作動筒５０と外キャップ６０とが別体に形成されているが、これらは一体に形成されていてもよい。また、ボタン部７０は、内キャップ４０と一体に形成されていてもよい。
【００２７】
内キャップ４０は、有底筒状の下筒部４１と、下筒部４１の上端部から径方向外側に向けて延びる環状の段部４２と、段部４２の外周縁から上方に向けて延びる第２摺動筒４３と、第２摺動筒４３の上端部から径方向外側に向けて延びる環状の第４係合部４４と、第４係合部４４の外周縁から下方に向けて延びる外筒部４５と、を備えている。内キャップ４０は、さらに、外筒部４５の下端部から径方向外側に向けて延びる環状の被付勢部４６と、被付勢部４６の外周縁から下方に向けて延びる外側規制部４７と、を備えている。内キャップ４０の各部４１〜４７の中心軸は、容器軸Ｏと同軸上に位置している。
【００２８】
下筒部４１は、スポイト管２０の上端部内およびピストン３０の嵌合筒部３１内に挿入されている。下筒部４１と嵌合筒部３１との間には、径方向の隙間が形成されている。下筒部４１の底壁は、上下方向において、嵌合筒部３１の下端部よりも下方に位置している。下筒部４１は、嵌合筒部３１よりも上下方向に長く、スポイト管２０よりも上下方向に短い。
第２摺動筒４３の内径および外径は、スポイト管２０の内径および外径と同等になっている。第２摺動筒４３は、スポイト管２０の真上に位置している。第２摺動筒４３の下端部は、下方に向かうに従って漸次縮径している。
【００２９】
被付勢部４６と係止片２２の上端面との間には、付勢部材Ｆが、上下方向に圧縮された状態で配設されている。これにより、内キャップ４０は、ノズル部材２に対して上方付勢状態で上下動可能に支持されている。外側規制部４７は、付勢部材Ｆの上端部を囲繞しており、付勢部材Ｆの径方向の移動を規制している。
【００３０】
作動筒５０は、内周面に雄ネジ部が形成された螺着筒部５１と、螺着筒部５１の上端部から径方向内側に向けて延びる環状の第２係合部５２と、第２係合部５２の内周縁から上方に向けて延びる第１摺動筒５３と、を備えている。作動筒５０はさらに、第１摺動筒５３の上端部から上方に向けて延びる筒状の第３係合部５４と、第３係合部５４から径方向内側に向けて延びる環状のフランジ部５５と、フランジ部５５の内周縁から下方に向けて延びる筒状の第２シール部５６と、を備えている。作動筒５０における各部５１〜５６の中心軸は、容器軸Ｏと同軸上に位置している。
【００３１】
螺着筒部５１は、容器本体１の口部１ａに螺着されている。螺着筒部５１の下端部には、径方向外側に向けて突出する被嵌合部が形成されており、この被嵌合部が外キャップ６０の下端部に形成された嵌合部にアンダーカット嵌合されることで、作動筒５０と外キャップ６０とが互いに固定されている。
【００３２】
第２係合部５２には、この第２係合部５２を上下方向に貫通する複数の貫通孔５２ａが、周方向に間隔を空けて複数形成されており、各貫通孔５２ａに、スポイト管２０の係止片２２が挿通されている。なお、スポイト管２０に対して作動筒５０を組み付ける際には、第２係合部５２の貫通孔５２ａ内に、係止片２２を下方から進入させる。このとき、第１係合部２２ａの上部に形成された傾斜面が、貫通孔５２ａの下端開口縁に接触することで、係止片２２が弾性変形して径方向内側に倒されながら、第１係合部２２ａが貫通孔５２ａ内を上方に向けて進む。第１係合部２２ａが貫通孔５２ａを上方に通過すると、弾性変形による復元力によって、係止片２２が径方向外側に向けて復元変位する。これにより、第１係合部２２ａの下部に形成された水平面が、第２係合部５２の上面と、上下方向で対向する。
【００３３】
第１摺動筒５３は、係止片２２の径方向内側に位置している。第１摺動筒５３内には、ピストン３０の第１シール部３５が嵌合している。第１摺動筒５３は、第１シール部３５よりも上下方向に長い。第１摺動筒５３の下端部における内周面は、下方に向かうに従って漸次拡径している。
第３係合部５４の内径は第１摺動筒５３の内径よりも小さく、第３係合部５４の外径は第１摺動筒５３の外径よりも小さい。第３係合部５４は、第１シール部３５の真上に位置している。第３係合部５４は、内キャップ４０の第２摺動筒４３と外筒部４５との間に位置している。第３係合部５４と外筒部４５との間には、径方向の隙間が形成されている。
第３係合部５４の上端面は、内キャップ４０の第４係合部４４における下面と、上下方向で対向している。
【００３４】
フランジ部５５は、第３係合部５４の上下方向における中央部と上端部との間に位置している。フランジ部５５は、ピストン３０のガイド筒部３４と上下方向で対向している。フランジ部５５および第２シール部５６は、第３係合部５４から径方向内側に向けて突出している。第２シール部５６の下端部は、下方に向かうに従って漸次縮径している。第２シール部５６の下端部は、内キャップ４０の第２摺動筒４３における外周面と当接することによって弾性変形している。第２シール部５６は、この第２摺動筒４３に対して、上下摺動可能に外嵌されている。第２シール部５６と第３係合部５４との間に形成された径方向の隙間内に、ピストン３０のガイド筒部３４が位置している。
【００３５】
外キャップ６０の内周面には、上下方向に延びる縦溝が形成されている。この縦溝内には、作動筒５０の外周面に形成された上下方向に延びる縦リブが嵌合されている。これにより、作動筒５０の外キャップ６０に対する容器軸Ｏ回りの回転が規制されている。
ボタン部７０は、有頂筒状に形成されている。ボタン部７０の頂壁は、上方に向けて凸の曲面状に形成されている。ボタン部７０の周壁は、内キャップ４０の外筒部４５を囲繞しており、内キャップ４０の被付勢部４６に上方から当接若しくは近接している。
【００３６】
ここで本実施形態では、ノズル部材２の上端部に、ピストン３０、内キャップ４０、および作動筒５０によって囲われた作動空間Ｓが形成されている。また、ピストン３０の第１シール部３５は作動筒５０の第１摺動筒５３に対して気密に当接しており、作動筒５０の第２シール部５６は内キャップ４０の第２摺動筒４３に対して気密に当接している。この構成により、作動空間Ｓは、ピストン３０と内キャップ４０との間の隙間を通してスポイト管２０内に連通するとともに、作動筒５０の外側との連通は、第１シール部３５および第２シール部５６によって遮断されている。
【００３７】
次に、以上のように構成されたスポイト容器１０の作用について説明する。
【００３８】
キャップ体３を容器本体１に対して容器軸Ｏ回りに回転させると、容器本体１の口部１ａに形成された雄ネジ部と作動筒５０の螺着筒部５１に形成された雌ネジ部とが螺合し、キャップ体３が容器本体１およびノズル部材２に対して上昇する。このとき、先述の作動空間Ｓと作動筒５０の外側との連通が遮断された状態を保ったまま、第１摺動筒５３が、第１シール部３５に対して上昇する。これにより、作動空間Ｓの体積が増大して負圧が生じ、この負圧によって、スポイト管２０の下端開口部８２から、容器本体１内の内容物がスポイト管２０内に吸引される。また、作動空間Ｓと作動筒５０の外側との連通は、第１シール部３５および第２シール部５６によって遮断されているため、スポイト管２０内に吸引された内容物は、このスポイト管２０によって保持される。
【００３９】
キャップ体３がノズル部材２に対して上昇し、図２に示すように、第２係合部５２が第１係合部２２ａに当接すると、キャップ体３のノズル部材２に対する上昇が規制される。このように、第１係合部２２ａおよび第２係合部５２は、キャップ体３が容器本体１の口部１ａから離脱したときに、キャップ体３のノズル部材２に対する上昇を規制する第１規制手段Ｒ１を構成している。この第１規制手段Ｒ１は、キャップ体３とノズル部材２との間に配置されている。
【００４０】
第１規制手段Ｒ１としての第１係合部２２ａおよび第２係合部５２が互いに係合し、キャップ体３のノズル部材２に対する上昇を規制することで、スポイト管２０内への内容物の吸引も停止する。スポイト管２０内への内容物の吸引量は、第１係合部２２ａおよび第２係合部５２が互いに係合する際の作動空間Ｓの体積の増大量を変更することで調整可能であり、本実施形態では、例えば１ｍｌである。上記増大量は、設計変更時に、例えば第１シール部３５の第１摺動筒５３に対するストローク量を変更したり、第２摺動筒４３若しくは第３係合部５４の径を変更したりすることで調整可能である。
【００４１】
第１係合部２２ａと第２係合部５２とが係合し、キャップ体３のノズル部材２に対する上昇が規制された状態で、引き続きキャップ体３を容器本体１に対して容器軸Ｏ回りに回転させると、キャップ体３とノズル部材２とが一体となって容器本体１に対して上昇する。このとき、スポイト管２０の外周面上を、しごき片４の先端部が摺動するため、スポイト管２０の外周面に付着した内容物はしごき片４によってこそぎ落とされ、容器本体１内に戻される。
【００４２】
以上の作用により、キャップ体３を容器本体１から取り外す操作をすることで、容器本体１内の内容物を計量して、スポイト管２０内に定量保持することができる。
キャップ体３およびノズル部材２が容器本体１の口部１ａから上方に離脱すると、図３に示す状態となる。この状態で、図４に示すように塗布体Ｐを被塗布部に押し付けると、塗布体Ｐが、ばね部２０ｂの下方付勢力に抗してスポイト管２０の管部２１に向けて上昇する。これにより、スポイト管２０内に塗布体Ｐが押し込まれた分だけ、塗布体Ｐと下端開口部８２との間の隙間から、スポイト管２０内の内容物が極少量吐出される。また、下端開口部８２が被塗布部に触れることで、内容物の表面張力によって、スポイト管２０内の内容物が極少量吐出される。このとき、例えば塗布体Ｐを被塗布部に押し付けたり離間させたりする操作を繰り返すと、内容物を極少量ずつ被塗布部に塗布することができる。
ここで、本実施形態における内容物は、頭皮に塗布する育毛剤であるため、吐出された育毛剤が垂れ落ちないように少量ずつ吐出させる必要がある。この点で、本実施形態におけるスポイト容器１０は、上述のように極少量ずつ内容物を吐出させることが可能であり、育毛剤の吐出容器として好適に用いることができる。
【００４３】
また、キャップ体３およびノズル部材２が容器本体１の口部１ａから離脱した状態で、図５に示すようにボタン部７０を押下すると、ボタン部７０および内キャップ４０が、付勢部材Ｆの上方付勢力に抗して、作動筒５０に対して下降する。このとき、先述の作動空間Ｓと作動筒５０の外側との連通が遮断された状態を保ったまま、内キャップ４０の第２摺動筒４３が、第２シール部５６に対して下降する。これにより、作動空間Ｓの体積が減少し、作動空間Ｓ内の空気がスポイト管２０内に流入するとともに、スポイト管２０内の内容物が、スポイト管２０の下端開口部８２と塗布体Ｐとの間の隙間から吐出される。
【００４４】
内キャップ４０が作動筒に対して下降し、第４係合部４４が第３係合部５４に当接すると、内キャップ４０の作動筒５０に対する下降が規制される。このように、第３係合部５４および第４係合部４４は、キャップ体３が容器本体１の口部１ａから離脱した状態で内キャップ４０をノズル部材２に対して押下したときに、内キャップ４０のノズル部材２に対する下降を規制する第２規制手段Ｒ２を構成している。この第２規制手段Ｒ２は、作動筒５０と内キャップ４０との間に配置されている。
【００４５】
第２規制手段Ｒ２としての第３係合部５４および第４係合部４４が互いに係合し、内キャップ４０のノズル部材２に対する下降を規制することで、スポイト管２０の下端開口部８２からの内容物の吐出も停止する。このように、ボタン部７０および内キャップ４０が押下された際の内容物の吐出量は、第３係合部５４および第４係合部４４が互いに係合する際の作動空間Ｓの体積の減少量を変更することで調整可能であり、本実施形態では、例えば０．１２５ｍｌである。上記減少量は、設計変更時に、例えば第２シール部５６の第２摺動筒４３に対するストローク量を変更したり、第２摺動筒４３若しくは第３係合部５４の径を変更したりすることで調整可能である。従って、このようにボタン部７０および内キャップ４０が押下された際の内容物の吐出量を、塗布体Ｐが被塗布部に押し付けられた際の内容物の吐出量と異ならせることも可能である。
【００４６】
ボタン部７０を押下する操作を停止すると、付勢部材Ｆの上方付勢力によって、内キャップ４０およびボタン部７０が、作動筒５０に対して上昇する。このとき、作動空間Ｓの体積の増大に伴って、スポイト管２０の下端開口部８２と塗布体Ｐとの間の隙間から外気がスポイト管２０内に流入する。そして、再びボタン部７０を押下すると、上述した作用が繰り返されて、再び内容物が吐出される。
【００４７】
以上説明したように、本実施形態では、第２規制手段Ｒ２としての第３係合部５４および第４係合部４４が互いに係合する際の作動空間Ｓの体積の減少量（例えば０．１２５ｍｌ）は、第１規制手段Ｒ１としての第１係合部２２ａおよび第２係合部５２が互いに係合する際の作動空間Ｓの体積の増大量（例えば１ｍｌ）より小さい。これにより、キャップ体３を容器本体１から取り外す際にスポイト管２０内に吸引された内容物を、内キャップ４０を作動筒５０に対して押下することで、容易に所定量ずつ小分けにして吐出させることができる。
【００４８】
さらに、内キャップ４０が作動筒５０に対して押下された際の内容物の吐出量を、塗布体Ｐが上方に向けて押しこまれた際の内容物の吐出量と異ならせた場合には、ボタン部７０を押し込む操作と塗布体Ｐを被塗布部に押し付ける操作とで、内容物の吐出量が容易に切り替え可能なスポイト容器１０とすることができる。
【００４９】
また、ノズル部材２は、スポイト管２０の上端部に配設されたガイド筒部３４を備えており、このガイド筒部３４は、キャップ体３を容器本体１の口部１ａから離脱した状態で、作動筒５０内に挿入されて、作動筒５０の第３係合部５４の内周面に当接若しくは近接する。この構成により、キャップ体３およびノズル部材２が容器本体１の口部１ａから離脱した状態で、例えばスポイト管２０に横向きの外力が加わったとしても、ガイド筒部３４が第３係合部５４の内周面に当接することで、ノズル部材２の全体がキャップ体３に対して傾くのを抑えることができる。これにより、例えば第１シール部３５と第１摺動筒５３との間に隙間が生じ、作動空間Ｓ内に外気が入り込み、スポイト管２０に保持された内容物が不意に吐出されてしまうのを抑止することができる。
【００５０】
また、付勢部材Ｆを金属製のコイルバネとした場合には、このコイルバネによって確実に内キャップ４０を上方付勢することが可能となる。また、このコイルバネは、作動筒５０の外側に配置されているため、例えばスポイト管２０内の内容物が不意に作動筒５０の内側に入り込んだとしても、この内容物とコイルバネとが接触するのを回避して、金属が内容物に対して影響を及ぼしたり、内容物がコイルバネに対して影響を及ぼしたりするのを防止することができる。
【００５１】
なお、本発明の技術的範囲は前記実施の形態に限定されるものではなく、本発明の趣旨を逸脱しない範囲において種々の変更を加えることが可能である。
【００５２】
例えば、前記実施形態の第２規制手段Ｒ２は、作動筒５０の第３係合部５４および内キャップ４０の第４係合部４４からなっていたが、本発明はこれに限られない。例えば、内キャップ４０の外側規制部４７を第４係合部として用い、この外側規制部４７に下方から当接する突起部を、外キャップ６０の内周面に形成してもよい。この場合、外キャップ６０の周壁から径方向内側に突出する前記突起部が、第３係合部に相当する。あるいは、内キャップ４０の段部４２を第４係合部として用い、ピストン３０のフランジ部３２を第３係合部として用いてもよい。このように、第２規制手段Ｒ２は、内キャップ４０と、作動筒５０、外キャップ６０、若しくはノズル部材２のいずれか少なくとも一つと、の間に配置され、キャップ体３が容器本体１の口部１ａから離脱した状態で内キャップ４０をノズル部材２に対して押下したときに、内キャップ４０のノズル部材２に対する下降を規制するものであればよい。
【００５３】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００５４】
１…容器本体  １ａ…口部  ２…ノズル部材  ３…キャップ体  １０…スポイト容器  ２０…スポイト管  ２２ａ…第１係合部  ３４…ガイド筒部  ３５…第１シール部  ４０…内キャップ  ４４…第４係合部  ５０…作動筒  ５２…第２係合部  ５４…第３係合部  ６０…外キャップ  ８２…下端開口部  Ｆ…コイルバネ（付勢部材）  Ｏ…容器軸  Ｐ…塗布体  Ｒ１…第１規制手段  Ｒ２…第２規制手段  Ｓ…作動空間
【図１】
2018122869.tif 000003
【図２】
2018122869.tif 000004
【図３】
2018122869.tif 000005
【図４】
2018122869.tif 000006
【図５】
2018122869.tif 000007